(57)【要約】【課題】  本発明は台風等での大きな風圧が加わらないようにして、取付部がゆるんだり、損傷するのを効率よく阻止することができるとともに、地震での揺れ動きも吸収し、下部位置の渡り通路へ雨水が入り込むのを防止することができる屋上用雨樋を得るにある。【解決手段】  左右の建物の床躯体を接続する渡り通路を設けた部位の、上部の一方の建物のパラペットの目地部側壁面にほぼ水平状態で固定されたベースレールと、このベースレールに水平方向にスライド移動可能に取付けられた、前記渡り通路の幅寸法と同じ、あるいは大きな幅寸法のスライドレールと、このスライドレールの下部寄りの部位に後端部が固定され、先端部が他方の建物のパラペットの下部空間へ位置する雨水を受ける受けカバーと、前記スライドレールの上部寄りの部位に設けられた、前記一方の建物のパラペットの上部を覆う水切り板とで屋上用雨樋を構成している。【選択図】  図３
2010281062.tif 000002
【特許請求の範囲】
【請求項１】
左右の建物の床躯体を接続する渡り通路を設けた部位の、上部の一方の建物のパラペットの目地部側壁面にほぼ水平状態で固定されたベースレールと、このベースレールに水平方向にスライド移動可能に取付けられた、前記渡り通路の幅寸法と同じ、あるいは大きな幅寸法のスライドレールと、このスライドレールの下部寄りの部位に後端部が固定され、先端部が他方の建物のパラペットの下部空間へ位置する雨水を受ける受けカバーと、前記スライドレールの上部寄りの部位に設けられた、前記一方の建物のパラペットの上部を覆う水切り板とからなることを特徴とする屋上用雨樋。
【請求項２】
受けカバーはスライドレールの下端部寄りの部位に後端部が所定間隔で固定された複数個の支持アームと、この支持アームに支持された状態で固定された雨水を受ける受けカバー本体とで構成されていることを特徴とする請求項１記載の屋上用雨樋。
【請求項３】
受けカバーと水切り板とは一体形成されていることを特徴とする請求項１記載の屋上用雨樋。
【発明の詳細な説明】
【技術分野】
【０００１】
本発明は目地部を介して設けられた左右の建物の渡り通路が設けられた部位の上部に雨水の浸入を防止できるように設けられた屋上用雨樋に関する。
【背景技術】
【０００２】
従来、目地部を介して設けられた左右の建物の屋上には、目地部を覆う笠木装置が設けられている。
しかし、最近の免震ビルでは大きな揺れ動きを吸収できるように、左右の建物間の寸法を１０００ミリから１２００ミリと大きく設定されている。
このため、笠木装置の笠木カバーが大きくなり、台風等での風圧で大きな力が加わり、取付部がゆるんだり、破損してしまうという欠点があった。
【先行技術文献】
【特許文献】
【０００３】
【特許文献１】特開２００６−３２８８８８
【発明の概要】
【発明が解決しようとする課題】
【０００４】
本発明は以上のような従来の欠点に鑑み、台風等での大きな風圧が加わらないようにして、取付部がゆるんだり、損傷するのを効率よく阻止することができるとともに、地震での揺れ動きも吸収し、下部位置の渡り通路へ雨水が入り込むのを防止することができる屋上用雨樋を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は左右の建物の床躯体を接続する渡り通路を設けた部位の、上部の一方の建物のパラペットの目地部側壁面にほぼ水平状態で固定されたベースレールと、このベースレールに水平方向にスライド移動可能に取付けられた、前記渡り通路の幅寸法と同じ、あるいは大きな幅寸法のスライドレールと、このスライドレールの下部寄りの部位に後端部が固定され、先端部が他方の建物のパラペットの下部空間へ位置する雨水を受ける受けカバーと、前記スライドレールの上部寄りの部位に設けられた、前記一方の建物のパラペットの上部を覆う水切り板とで屋上用雨樋を構成している。
【発明の効果】
【０００８】
以上の説明から明らかなように、本発明にあっては次に列挙する効果が得られる。
（１）左右の建物の床躯体を接続する渡り通路を設けた部位の、上部の一方の建物のパラペットの目地部側壁面にほぼ水平状態で固定されたベースレールと、このベースレールに水平方向にスライド移動可能に取付けられた、前記渡り通路の幅寸法と同じ、あるいは大きな幅寸法のスライドレールと、このスライドレールの下部寄りの部位に後端部が固定され、先端部が他方の建物のパラペットの下部空間へ位置する雨水を受ける受けカバーと、前記スライドレールの上部寄りの部位に設けられた、前記一方の建物のパラペットの上部を覆う水切り板とで構成されているので、従来のように左右の建物の屋上部のパラペットの上部に突出した状態にならず、台風等での大きな風圧を受けるのを効率よく阻止することができる。
したがって、取付部が大きな振動でゆるんだり、損傷したりするのを防止することができる。
（２）前記（１）によって、受けカバーで雨水を受けることができる。
したがって、下部に設置されている渡り通路への雨水の落下を阻止することができる。
（３）前記（１）により、従来のような大きな笠木カバーを用いないので、設置作業が容易で、安価に設置することができる。
（４）請求項２、３も前記（１）〜（３）と同様な効果が得られるとともに、さらに容易に設置することができる。
【図面の簡単な説明】
【０００９】
【図１】本発明を実施するための第１の形態の平面図。
【図２】本発明を実施するための第１の形態の正面図。
【図３】図１の３−３線に沿う断面図
【図４】本発明を実施するための第１の形態のベースレールの説明図。
【図５】本発明を実施するための第１の形態のスライドレールの説明図。
【図６】本発明を実施するための第１の形態の受けカバーの説明図。
【図７】左右の建物が異なる前後方向に揺れ動いた状態の説明図。
【図８】左右の建物が異なる左右方向に揺れ動いた状態の説明図。
【図９】本発明を実施するための第２の形態の平面図。
【図１０】図９の１０−１０線に沿う断面図。
【図１１】本発明を実施するための第２の形態のスライドレールと受けカバーの説明図。
【図１２】本発明を実施するための第３の形態の平面図。
【図１３】図１２の１３−１３線に沿う断面図。
【図１４】図１２の１４−１４線に沿う断面図。
【発明を実施するための形態】
【００１０】
以下、図面に示す本発明を実施するための形態により、本発明を詳細に説明する。
図１ないし図８に示す本発明を実施するための第１の形態において、１は目地部２を介して設けられた左右の建物３、３Ａの渡り通路４が設けられた部位の屋上部分に設置された本発明の屋上用雨樋で、この屋上用雨樋１は前記左右の建物３、３Ａの大きい幅寸法の一方の建物３の目地部側パラペット５の外壁面５ａに複数本のタッピングビス６でほぼ水平状態で固定されたベースレール本体７、このベースレール本体７の上下部がクランク状となるように折り曲げられた上・下レール部８、９、この上レール部８の内側部に所定間隔で複数個設けられた横方向支持ローラ１０、上方からの荷重を支持する上方向支持ローラ１１、前記下レール部９の外側部に所定間隔で複数個設けられた支持ローラ１２とからなるベースレール１３と、このベースレール１３にスライド方向にスライド移動可能に取付けられた前記左右の建物３、３Ａの小さな幅寸法の他方の建物３Ａのベランダ１４の両側壁１５、１５との間の寸法とほぼ同じ寸法に形成されたスライドレール本体１６、このスライドレール本体１６の上下部をほぼコ字状に折り曲げて形成した前記ベースレール１３の上・下レール部８、９と係合する係合レール部１７、１７とからなるスライドレール１８と、前記一方の建物３のパラペット５の上面に複数本のタッピングビス１９で固定されたクランク状に曲げられ、かつ前記ベースレール１３と前記スライドレール１８の上部を覆う取付け金具２０と、前記スライドレール１８の下部寄りの部位に所定間隔で固定された先端部が前記他方の建物３Ａのベランダ１４の天井壁２１寄りの部位に位置する複数個の支持アーム２２、この支持アーム２２に支持された状態で固定される雨水を受けることができる皿状で、両側部が前記ベランダ１４の両側壁１５、１５と当接する雨受け皿２３、この雨受け皿２３の前記スライドレール１８側と一体形成された、前記取付け金具２０を覆うように取付けられた水切り板２４とからなる受けカバー２５と、この受けカバー２５の雨受け皿２３内の雨水を排水する他方の建物３Ａのベランダ１４部分に設けられた縦樋２６に接続された蛇管２７とで構成されている。
【００１１】
上記構成の屋上用雨樋１は、通常時には図１および図２に示すように渡り通路４の上部の左右の建物３、３Ａのパラペット５、５Ａ間を覆うように設置されているため、雨水は雨受け皿２３で受けられ、蛇管２７を介して縦樋２６へ排水されるため、下部位置の渡り通路４へ落下するのを防止できる。
【００１２】
地震で左右の建物３、３Ａが異なる前後方向に揺れ動いた場合、図７に示すように他方の建物３Ａのベランダ１４の両側壁１５、１５に受けカバー２５の雨受け皿２３の両側面が当接しているため、該他方の建物３Ａと一体になって動くため、ベースレール１３に対して受けカバー２５に固定されているスライドレール１８が前後方向に移動して、その揺れ動きを吸収する。
【００１３】
また、地震によって左右の建物３、３Ａが異なる左右方向に揺れ動くと、図８に示すように受けカバー２５の先端部が他方の建物３Ａのベランダ１４内を左右方向に移動して、その揺れ動きを吸収する。
【００１４】
[発明を実施するための異なる形態]
次に、図９ないし図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１５】
図９ないし１１図に示す本発明を実施するための第２の形態において、前記本発明を実施するための第１の形態と主に異なる点は、スライドレール１８の上部に水切り板２４を固定するとともに、スライドレール１８の下部に受けカバー本体形状の受けカバー２５Ａを固定した点で、このように構成した屋上用雨樋１Ａにしても前記本発明を実施するための第１の形態と同様な作用効果が得られる。
【００１６】
なお、受けカバー２５Ａに人が入り込む危険性のある場合には左右の建物３、３Ａのパラペット５、５Ａに両端部を取付けた伸縮自在なリンク機構を用いたカバー体を設置しておくとよい。
【００１７】
図１２ないし図１４に示す本発明を実施するための第３の形態において、前記本発明を実施するための第１の形態と主に異なる点は、他方の建物３Ａの外側通路２８のほぼ中央部まで位置するように受けカバー２５Ｂを設けるとともに、該受けカバー２５Ｂの先端部側の両側面と当接するストッパー片２９、２９を前記外側通路２８の天井躯体２８ａに固定した点で、このように構成した屋上用雨樋１Ｂにしても、前記本発明を実施するための第１の形態と同様な作用効果が得られる。
【産業上の利用可能性】
【００１８】
本発明は左右の建物間の屋上部分に設置される屋上用雨樋を製造する産業で利用される。
【符号の説明】
【００１９】
１、１Ａ、１Ｂ：屋上用雨樋、  ２：目地部、
３、３Ａ：建物、              ４：渡り通路、
５：パラペット、              ６：タッピングビス、
７：ベースレール本体、        ８：上レール部、
９：下レール部、            １０：横方向支持ローラ、
１１：上方向支持ローラ、    １２：支持ローラ、
１３：ベースレール、        １４：ベランダ、
１５：側壁、                １６：スライドレール本体、
１７：係合レール部、        １８：スライドレール、
１９：タッピングビス、      ２０：取付け金具、
２１：天井壁、              ２２：支持アーム、
２３：雨受け皿、            ２４：水切り板、
２５、２５Ａ、２５Ｂ：受けカバー、
２６：縦樋、                ２７：蛇管、
２８：外側通路、            ２９：ストッパー片。
【図１】
2010281062.tif 000003
【図２】
2010281062.tif 000004
【図３】
2010281062.tif 000005
【図４】
2010281062.tif 000006
【図５】
2010281062.tif 000007
【図６】
2010281062.tif 000008
【図７】
2010281062.tif 000009
【図８】
2010281062.tif 000010
【図９】
2010281062.tif 000011
【図１０】
2010281062.tif 000012
【図１１】
2010281062.tif 000013
【図１２】
2010281062.tif 000014
【図１３】
2010281062.tif 000015
【図１４】
2010281062.tif 000016